(57)【要約】      （修正有）【課題】床内に埋め込んだ函体内に、自動巻き取り式のコードリールを内蔵し、任意の位置までコンセントを引き出して使用することが出来るようにする。【解決手段】床内に埋め込んだ函体内に、自動巻き取り式のコードリールを内蔵しコードの引き出しを可能にしたコンセント５を取り付ける。一般的なフロアコンセントと同様に使用することも出来るが、コードを引き出して自由な長さでコンセントを使用することができる。巻き戻し時にはストッパー７を解除することにより、コンセント部５を収納することが出来、コンセントを使用しない時には、コンセント収納部２を回転させ床内に格納する。【選択図】  図３
2005285393.tif 000002
【特許請求の範囲】
【請求項１】
床内に埋め込んだ函内に、自動巻き取り式のコードリールを内蔵し、概コードの一端を電源に接続し、他端を取り外し出来るコンセントに接続し、任意の位置までコンセントを引き出して使用することが出来る伸縮自在コンセント。
【請求項２】
コンセント収納部に自動でコンセント部を巻き戻し、コードを埋め込み函体内に収納する請求項１記載の伸縮自在コンセント。
【請求項３】
コンセント未使用時には、塵の侵入を防ぎ、足元の邪魔とならないよう、フロアプレートと同一面にコンセント部分を格納することが出来る請求項１の伸縮自在コンセント。
【発明の詳細な説明】
【技術分野】
【０００１】
本発明は、延長コードや携帯リールコードを、必要時に探し回って調達する手間が無く、本装置だけで必要な時に必要な長さだけ引っ張り出して使用でき、常時は通常のコンセントとして機能する美観を損ねないコンセント器具に関するものである。
【背景技術】
【０００２】
ＯＡ機器の発達と利用拡大に伴い、オフィスのＯＡ機器に対する電源の確保は必要不可欠な状況にある。機器は小型化され、さまざまな場所に持ち運んで使われるようになり、使いたい場所に電源コンセントが無い場合、最寄のコンセントから延長コード等を用いて、電源を供給しなくてはならない。
【０００３】
機器の付属電源コードの長さ以上に離れた場所で電源を使いたい時には、延長コードを探してきて使用しなくてはならず、また、使用後は延長コードを片付ける必要が生じるため、片付ける手間がかかるので付けたままの状態になることもある。このため、美観を害し、さらにコードにつまずく恐れもあった
【０００４】
この改善策として、壁面内にコードリールを埋込み、室内に引き出して使用することの出来る埋込みコンセントが開発されている。
【特許文献１】公開特開平９−３５８３５号公開
【０００５】
また、壁面だけでなく床面にコードリールを埋め込んで、手動または自動で巻き戻しが出来る伸縮自在なコンセントも開発されている。
【特許文献２】特開平７−２６３０９５号
【発明の開示】
【発明が解決しようとする課題】
【０００６】
以上に述べた従来の伸縮自在なコンセントの問題点として、部屋の中央部等でコンセントを利用しようとする場合、壁面から引き出された延長コードが、通路を横切って布設されることが多くあり、歩行者がコードでつまずく等の危険を及ぼす恐れがあることが挙げられる。
【０００７】
また、
【特許文献２】の様に、壁面に取り付ける型のコンセントを床面に取り付けた場合、コンセントの差込口が上方を向いているため、落下物やごみ等の異物の混入による電気的障害を発生する恐れがある。
【０００８】
解決しようとする問題点は、床内に収納できる延長可能なコンセントが存在せず、利用者が必要な場所でコンセントを自由かつ安全に使うことができなかったことである。
【課題を解決するための手段】
【０００９】
本発明は上記目的を達成するため、床内に埋め込んだ函体内に、自動巻き取り式のコードリールを内蔵させ、使用時には任意の位置までコンセントを引き出して使用することが出来、終了時には自動でコードを巻き取ることが出来ることとしたものである。
【００１０】
また、コンセント部がコンセント収納部に収まっているときには、コンセント収納部を回転させることが出来、フロアプレートと同一の高さに格納することが可能な構造とした。
【発明の効果】
【００１１】
本発明に係る伸縮自在コンセントを用いることにより、任意の位置でコンセントを使用することが出来、また、不必要なときには自動でコードを巻き取ることが出来るため、新たに別のコードリールを探してきて使用する必要が無い。
【００１２】
さらに、本発明に係る伸縮自在コンセントを用いることにより、コンセント未使用時にはフロアプレートと同一の高さに格納することが出来るので、未使用時に足元の邪魔になることも無く、ごみ等の混入も防ぐことが可能である。
【発明を実施するための最良の形態】
【００１３】
本発明の伸縮自在コンセントには、自動巻き取り式のコードリールを用いることにより、任意の位置でコンセントを使用できるよう実現した。また、既存の床内に埋め込んだ函体を用いることにより大幅な改造工事を必要とせず簡単にコンセントを取り付けることが出来、さらに、床内に収納することが出来るので、美観、安全性を損なわない。  
【実施例】
【００１４】
以下、本発明に係る伸縮自在コンセント及び伸縮自在コンセントを床面に取り付ける場合の好適な実施形態について、図面を参照しつつ説明する。
【００１５】
第1図はコンセント収納部２をフロア内に格納した状態を示す。従来のフロアコンセントと同様に、フロアとほぼ同一面の高さに収納することが出来る特徴を有する。コンセント５を使用する場合には、フロアプレート１に付随するレバー３を手前に引くことでワンタッチでコンセント収納部２を斜動できる。
【００１６】
第２図はコンセント５をコンセント収納部２に固定した状態を示す。コンセント５を使用する時には、コンセント収納部２とコンセント５の間にストッパー７が作動し両者を固定しているので、各種電気器具の差込プラグの抜差しをスムーズに行うことができる。
【００１７】
機器等の付属電源コードの長さ以上に離れた場所で電気を使用する場合は、ストッパー解除ボタン６を押すことによってコンセント５部分は自由状態となり、引張り部４を持つことでコンセント５部分につながったコード８とともにコンセント収納部２から取り出すことが出来る。（図３）取り出されるコード８は埋め込み函体１０の底部に設置したフリーストッパー付コードリール９に巻き取ってあり、任意の引き出し位置で長さを固定し、コンセント５を使用することが出来る
【００１８】
コンセント５をコンセント収納部２に収容する場合には、若干コード８を引き出した後、手を離せばフリーストッパー付コードリール９内に設けてあるゼンマイの勢力により、コード８は自動的にコンセント収納部２の位置まで戻ってくる。最終的に、ストッパー７が作動するように、コンセント収納部２内にコンセント５を押し戻すことで確実に固定される。
【００１９】
コンセント収納部２をフロア内に格納する時は、コンセント収納部２を床面に押しつけるように再度斜動させ、フロアプレート１に付随するによって固定する。
【図面の簡単な説明】
【００２０】
【図１】コンセント収納部をフロア内に収容した時の概要を示した説明図である。
【図２】コンセント収納部を斜動させコンセントを使用する時の概要を示した説明図である。
【図３】コンセント部を引き出して使用する時の概要を示した説明図である。
【符号の説明】
【００２１】
１ フロアプレート
２ コンセント収納部
３ レバー
４ 引張り部
５ コンセント
６ ストッパー解除ボタン
７ ストッパー
８ コード
９ フリーストッパー付コードリール
１０ 埋め込み函体
【図１】
2005285393.tif 000003
【図２】
2005285393.tif 000004
【図３】
2005285393.tif 000005